(57)【要約】【課題】必要に応じて銜持部に作用する負荷を加減することができる顔面筋鍛錬具を提供する。【解決手段】口唇によって銜えられる銜持部２４と、ウェイト部２５と、その銜持部２４とウェイト部２５との間に介在された弾性変形部２２とを備える。ウェイト部２５を重さ調節可能に構成する。【選択図】図１
2014087478.tif 000002
【特許請求の範囲】
【請求項１】
口唇によって銜えられる銜持部と、ウェイト部と、その銜持部とウェイト部との間に介在された弾性変形部とを備えた顔面筋鍛錬具において、
前記ウェイト部を重さ調節可能に構成した顔面筋鍛錬具。
【請求項２】
前記ウェイト部を弾性変形部の両端位置に設けた請求項１に記載の顔面筋鍛錬具。
【請求項３】
前記ウェイト部を重さ調節可能にした請求項１または２に記載の顔面筋鍛錬具。
【請求項４】
前記弾性変形部を板バネによって構成した請求項１〜３のうちのいずれか一項に記載の顔面筋鍛錬具。
【請求項５】
前記弾性変形部を被覆する被覆部を設けた請求項１〜４のうちのいずれか一項に記載の顔面筋鍛錬具。
【請求項６】
前記ウェイト部を、前記被覆部に形成された保持部と、その保持部に着脱可能に取り付けられたウェイトとより構成した請求項５に記載の顔面筋鍛錬具。
【請求項７】
前記ウェイトは、前記被覆部に形成された保持孔に着脱可能に取り付けられた請求項６に記載の顔面筋鍛錬具。
【請求項８】
前記銜持部を前記被覆部に形成された取付部と、その取付部に着脱可能に取り付けられたマウスピースとにより構成した請求項５〜７のうちのいずれか一項に記載の顔面筋鍛錬具。
【請求項９】
前記ウェイトを板バネに直接固定した請求項１〜４のうちのいずれか一項に記載の顔面筋鍛錬具。
【請求項１０】
前記銜持部を板バネに直接固定した請求項１〜４，請求項９のうちのいずれか一項に記載の顔面筋鍛錬具。
【発明の詳細な説明】
【技術分野】
【０００１】
この発明は、人体の顔面における表情筋等の顔面筋を鍛錬することに用いられる顔面筋鍛錬具に関するものである。
【背景技術】
【０００２】
従来、この種の顔面筋鍛錬具としては、例えば特許文献１に開示されるような構成が提案されている。この従来構成においては、板バネよりなる帯状の弾性変形部の中央部に、口唇によって銜えられる銜持部が設けられている。弾性変形部の両端部には、一対のウェイト部が設けられている。そして、この顔面筋鍛錬具の使用に際しては、銜持部を口唇により銜えた状態で、板バネを介して両ウェイト部を上下に揺動させる。この場合の負荷によって、表情筋等の顔面筋が鍛えられる。
【先行技術文献】
【特許文献】
【０００３】
【特許文献１】意匠登録第１２２３２８９号公報
【発明の概要】
【発明が解決しようとする課題】
【０００４】
ところが、この従来の顔面筋鍛錬具においては、ウェイト部が弾性変形部の両端部に固定状態で配置されている。このため、顔面筋に作用する負荷を調節することができない。よって、個人差や顔面筋の鍛錬度合い等に対応するために、顔面筋に作用する負荷を加減したい場合、そのような要求に対処することができないという問題があった。
【０００５】
この発明は、このような従来の技術に存在する問題点に着目してなされたものである。その目的は、顔面筋に作用する負荷を加減することができる顔面筋鍛錬具を提供することにある。
【課題を解決するための手段】
【０００６】
上記の目的を達成するための顔面筋鍛錬具は、口唇によって銜えられる銜持部と、ウェイト部と、その銜持部とウェイト部との間に介在された弾性変形部とを備えた顔面筋鍛錬具において、前記ウェイト部を重さ調節可能に構成したことを特徴としている。
【０００７】
従って、この顔面筋鍛錬具の使用に際しては、銜持部を口唇により銜えた状態で、弾性変形部を介してウェイト部を上下に揺動させる。すると、揺動させるための負荷に加えて、ウェイト部の揺動に対する弾性反発力が銜持部に伝達されて、表情筋等の顔面筋が鍛えられる。そして、個人差や、顔面筋の鍛錬度合等に応じてウェイト部の重さを調節することにより、顔面筋に作用する負荷を容易に加減することができる。
【発明の効果】
【０００８】
以上のように、この顔面筋鍛錬具によれば、必要に応じて顔面筋に作用する負荷を任意に加減することができるという効果を発揮する。
【図面の簡単な説明】
【０００９】
【図１】第１実施形態の顔面筋鍛錬具を示す平面図。
【図２】図１の顔面筋鍛錬具の正面図。
【図３】同顔面筋鍛錬具の拡大側面図。
【図４】図２の４−４線における拡大断面図。
【図５】図１の５−５線における部分拡大断面図。
【図６】図４においてマウスピースを取り外した状態を示す分解断面図。
【図７】図５においてウェイトを取り外した状態を示す部分拡大断面図。
【図８】マウスピースを拡大して示す斜視図。
【図９】図１の顔面筋鍛錬具の使用状態を示す斜視図。
【図１０】第２実施形態の顔面筋鍛錬具を示す平面図。
【図１１】図１０の顔面筋鍛錬具の正面図。
【図１２】同顔面筋鍛錬具の拡大側面図。
【図１３】図１１の１３−１３線における拡大断面図。
【図１４】図１０の１４−１４線における要部拡大分解断面図。
【図１５】変更例の顔面筋鍛錬具を示す平面図。
【発明を実施するための形態】
【００１０】
（第１実施形態）
以下に、顔面筋鍛錬具の第１実施形態を図１〜図９に従って説明する。
図１〜図３に示すように、この実施形態の顔面筋鍛錬具２１は、鋼板製の板バネよりなる直線帯状の弾性変形部としての弾性板２２を備えている。弾性板２２の外周には、合成樹脂よりなる被覆部２３が形成されている。弾性板２２上には、被覆部２３の成形時に合成樹脂の進入を許容するための複数の貫通孔２２１が形成されている。被覆部２３の前面中央部には、口唇によって銜えられる銜持部２４が突設されている。被覆部２３の両端部には、一対のウェイト部２５が設けられている。この場合、前記銜持部２４は、両ウェイト部２５の荷重によって形成される重心の位置、つまりその重心を通るように両ウェイト部２５を結ぶ直線２６１上の位置から前方（使用者側）に変位させて配置されている。しかも、銜持部２４は両ウェイト部２５の後述のウェイト３０の幅端間を結ぶ２本の直線２６２よりも外側に位置している。
【００１１】
図４、図６及び図８に示すように、前記銜持部２４は、被覆部２３の前面中央部に埋設された取付部としてのコア２７と、そのコア２７に着脱可能に取り付けられたマウスピース２８とを備えている。コア２７は、被覆部２３と同質または被覆部２３よりも硬質の合成樹脂により形成されている。コア２７の外周面には、マウスピース２８を掛止して保持するための凹凸部２７１が形成されている。マウスピース２８は、コア２７よりも軟質の合成樹脂により中空状をなすように形成されている。
【００１２】
図４、図６及び図８に示すように、前記マウスピース２８の内周面には、コア２７の凹凸部２７１に係合可能な凹凸部２８１が形成されている。マウスピース２８の外周面の中央部には、口唇によって銜えられる窪み部２８２が形成されている。この窪み部２８２は、前記直線２６２の外側に位置している。マウスピース２８の外周面の先端部には、凹部２８３が形成されている。マウスピース２８の先端面には、球面状の凸部２８４が形成されている。そして、この実施形態においては、外形寸法等の異なった複数のマウスピース２８が用意され、使用者の口の大きさや形等に応じて適当なマウスピース２８を選択して、コア２７の外側に対し自体の弾性に抗して着脱可能に嵌着するようになっている。
【００１３】
図５及び図７に示すように、前記被覆部２３の両端位置に保持孔２９が形成されている。前記両ウェイト部２５は、この保持孔２９に着脱可能に取り付けられたウェイト３０より構成されている。ウェイト３０は、被覆部２３よりも硬質の合成樹脂により形成されている。ウェイト３０の外周面には、保持孔２９の凸部２９１に係合可能な凹部３０１が形成されている。この凸部２９１と凹部３０１との係合により、ウェイト３０が保持孔２９内において着脱可能に保持される。ウェイト３０の内部には、重量を持たせるための板状の金属材３０２が埋設されている。そして、この実施形態においては、金属材３０２の大きさや密度，金属材３０２の変更により重さを異ならせた複数のウェイト３０が用意され、使用状況に応じて任意のウェイト３０を選択して保持孔２９に着脱可能に取り付けるようになっている。
【００１４】
次に、前記のように構成された顔面筋鍛錬具の作用を説明する。
この顔面筋鍛錬具２１を使用する場合には、被覆部２３から突設されたコア２７に所定の外形寸法のマウスピース２８を取り付ける。それとともに、両ウェイト部２５の保持孔２９に必要な重さのウェイト３０を取り付ける。この状態で、図９に示すように、銜持部２４を口唇に銜えて顔を上下に往復動させる。すると、板バネよりなる弾性板２２を介して両ウェイト部２５が上下に揺動され、その揺動の反発力が銜持部２４に伝達される。これによって、顔面における表情筋等の顔面筋が鍛えられる。この場合、図１に示すように、銜持部２４が両ウェイト部２５の荷重によって形成される重心の位置、すなわち両ウェイト部２５を結ぶ直線２６１上の位置から前方に、しかも両ウェイト部２５の両幅端を結ぶ直線２６２から外側へ変位した位置に配置されている。このため、顔面筋鍛錬具２１が片持ち状態で口唇に銜えられることになり、口唇に対する加重負担が大きくなる。従って、ウェイト部２５の荷重が銜持部２４に対する負荷として効率よく作用して、顔面筋が効果的に鍛えられる。
【００１５】
また、この顔面筋鍛錬具２１を異なった使用者が使用する場合には、コア２７に対して外形寸法等の異なったマウスピース２８を脱着によって交換することにより、口の大きさや形が異なる使用者であっても、１つの顔面筋鍛錬具２１を共用することができる。
【００１６】
さらに、顔面筋の強さや鍛錬度合いに応じて、保持孔２９内のウェイト３０を重さの異なった別のウェイト３０に交換すれば、ウェイト部２５の重さを使用状況に応じて調節することができる。
【００１７】
従って、この実施形態によれば、以下のような効果を得ることができる。
（１）  この顔面筋鍛錬具においては、使用に際して、銜持部２４を口唇により銜えた状態で、弾性板２２を介してウェイト部２５を上下に揺動させる。すると、揺動による負荷に加えて、ウェイト部２５の揺動に対する弾性反発力が銜持部２４に伝達されて、表情筋等の顔面筋が鍛えられる。
【００１８】
（２）  この顔面筋鍛錬具においては、前記弾性板２２が板バネによって構成されている。このため、板バネよりなる弾性板２２の弾性変形によりウェイト部２５を効果的に揺動させることができる。
【００１９】
（３）  この顔面筋鍛錬具においては、前記ウェイト部２５が弾性板２２の両端位置に設けられている。このため、両ウェイト部２５の揺動により顔面筋に対して高負荷を付与することができる。
【００２０】
（４）  この顔面筋鍛錬具においては、前記ウェイト部２５が重さ調節可能に構成されている。このため、使用状況に応じてウェイト部２５の重さを調節することにより、個人差や鍛錬度合に応じて顔面筋に対する負荷値を任意に変更することができる。
【００２１】
（５）  この顔面筋鍛錬具においては、前記弾性板２２を被覆する被覆部２３が設けられている。そして、銜持部２４がその被覆部２３に突設されている。このため、銜持部２４を弾性板２２上において、ウェイト部２５の重心位置から変位した位置に配設することができる。従って、顔面筋鍛錬具が片持ち状態で銜えられることになり、高負荷を得ることができて、有効な鍛錬が可能となる。
【００２２】
（６）  この顔面筋鍛錬具においては、前記銜持部２４が、被覆部２３に形成されたコア２７と、そのコア２７に着脱可能に取り付けられたマウスピース２８とにより構成されている。このため、大きさの異なった複数のマウスピース２８を用意することにより、使用者の口の大きさに応じてマウスピース２８を交換して便利に使用することができる。
【００２３】
（７）  この顔面筋鍛錬具においては、前記ウェイト部２５が、被覆部２３に形成された保持孔２９と、その保持孔２９に着脱可能に取り付けられたウェイト３０とより構成されている。このため、重さの異なった複数のウェイト３０を用意して、任意のウェイト３０を保持孔２９に着脱可能に取り付けることにより、鍛錬度合い等に応じてウェイト部２５の重さを簡単に調節することができる。
【００２４】
（第２実施形態）
次に、顔面筋鍛錬具の第２実施形態を前記第１実施形態と異なる部分を中心に説明する。
【００２５】
図１０〜図１４に示すように、この第２実施形態の顔面筋鍛錬具２１においては、板バネよりなる弾性板２２の中央部に、弾性変形可能な合成樹脂よりなる扇形平板状の中央被覆部３３が被覆形成されている。弾性板２２の両端部には、同様な弾性変形可能な合成樹脂よりなるほぼ円錐状の両端被覆部３４が被覆形成されている。中央被覆部３３の上下両面の前縁には、一対の突片状の銜持部２４が一体に突出形成されている。両端被覆部３４の外端部には、ウェイト部２５がそれぞれ設けられている。
【００２６】
図１４に示すように、前記各ウェイト部２５は、両端被覆部３４の外周面に形成された環状をなす複数（実施形態では２つ）の保持部としての保持溝３５と、その保持溝３５に着脱可能に取り付けられた環状をなす複数（実施形態では２つ）のウェイト３６とより構成されている。このウェイト３６は、硬質合成樹脂または金属により形成されている。そして、図１４に示すように、複数の保持溝３５に対してウェイト３６を着脱することにより、ウェイト部２５の重さが調節されるようになっている。
【００２７】
従って、この第２実施形態においても、前記第１実施形態における（１）〜（３）に記載の効果とほぼ同様の効果を得ることができる。
（変更例）
なお、この実施形態は、次のように変更して具体化することも可能である。
【００２８】
・  銜持部２４を被覆部２３に対して一体状に突出形成すること。
・  銜持部２４を構成するマウスピース２８の外周面の凹部２８３及び先端面の凸部２８４を省略すること。
【００２９】
・  前記第２実施形態において、ウェイト部２５を構成する保持溝３５及びウェイト３６の数を、１つまたは３つ以上の複数に変更すること。
・  前記第２実施形態において、ウェイト部２５に重さの異なった複数種のウェイト３６を用意して、そのウェイト３６を選択して保持溝３５に取り付けるように構成すること。また、第２実施形態において、銜持部２４を第１実施形態と同様な構成とすること。
【００３０】
・  図１５に示すように、弾性板２２を被覆する被覆部２３を設けることなく、合成樹脂よりなる銜持部２４を弾性板２２に直接固定するとともに、ウェイト部２５を構成するウェイト３０を弾性板２２に直接固定すること。この場合、銜持部２４やウェイト３０の固定は、ネジを用いたり、銜持部２４やウェイト３０に形成した突起を弾性板２２の孔に嵌合したりすることによって行なわれる。また、ウェイト３０は、全体を金属材のみによって構成しても、第１実施形態のように合成樹脂材に対して着脱可能に構成してもよい。さらに、ウェイト３０を弾性板２２の端部を所要重量となるように巻回したり、折り曲げたり、あるいは大面積にしたりすることによって構成してもよい。
【符号の説明】
【００３１】
２１…顔面筋鍛錬具、２２…弾性板、２３…被覆部、２４…銜持部、２５…ウェイト部、２８…マウスピース、２９…保持部としての保持孔、３０…ウェイト、３３…中央被覆部、３４…両端被覆部、３５…保持部としての保持溝、３６…ウェイト。
【図１】
2014087478.tif 000003
【図２】
2014087478.tif 000004
【図３】
2014087478.tif 000005
【図４】
2014087478.tif 000006
【図５】
2014087478.tif 000007
【図６】
2014087478.tif 000008
【図７】
2014087478.tif 000009
【図８】
2014087478.tif 000010
【図９】
2014087478.tif 000011
【図１０】
2014087478.tif 000012
【図１１】
2014087478.tif 000013
【図１２】
2014087478.tif 000014
【図１３】
2014087478.tif 000015
【図１４】
2014087478.tif 000016
【図１５】
2014087478.tif 000017